(57)【要約】【課題】Ｘ線の入射角度が異なっても放射線透過性の変動を抑制でき、それにより高精度な画像による診断や、被検者のＸ線被爆量が少ない診断などを行える放射線機器用天板を提供することを目的とする。【解決手段】少なくとも、被検者を載せる上面板と、前記上面板と間隔をもって対向配置した下面板とから構成される放射線機器用天板であって、前記天板の長手方向に対する垂直断面において、前記上面板および／または前記下面板の横幅方向の少なくとも一部に板厚の異なる部位を有し、さらには、上面板および／または前記下面板の面板断面形状が、曲面形状である構成を有する放射線機器用天板である。【選択図】図２
2018051000.tif 000002
【特許請求の範囲】
【請求項１】
少なくとも、被検者を載せる上面板と、前記上面板と間隔をもって対向配置した下面板とから構成される放射線機器用天板であって、
前記天板の長手方向に対する垂直断面において、前記上面板および／または前記下面板の横幅方向の少なくとも一部に板厚の異なる部位を有することを特徴とする放射線機器用天板。
【請求項２】
前記天板の横幅方向中央部より端部の板厚が薄いことを特徴とする請求項１に記載の放射線機器用天板。
【請求項３】
前記板厚の最大厚さと最小厚さとの比が１．２〜５倍であることを特徴とする請求項１または２に記載の放射線機器用天板。
【請求項４】
前記天板の横幅Ｌ（ｍｍ）に対し、前記天板の横幅方向中心線を挟んだ左右０．０５＊Ｌ（ｍｍ）の範囲における最大厚さと、前記天板端部から０．１＊Ｌ（ｍｍ）の範囲における最小厚さとの比が１．２〜５倍であることを特徴とする請求項３に記載の放射線機器用天板。
【請求項５】
前記天板の長手方向に対する垂直断面における前記上面板および／または前記下面板の少なくとも一部が、前記天板の横幅方向に沿った曲面形状であることを特徴とする請求項１〜４のいずれかに記載の放射線機器用天板。
【請求項６】
前記下面板の被検者載置面側と反対側に位置する下面板外面に設けられた下面板外面曲面形状部の曲率半径Ｓｂが２００〜１０００ｍｍであることを特徴とする請求項５に記載の放射線機器用天板。
【請求項７】
前記上面板の被検者載置面側に位置する上面板外面に設けられた上面板外面曲面形状部の曲率半径Ｓａが３００〜２０００ｍｍであり、Ｓａ／Ｓｂが１．１〜１０であることを特徴とする請求項６に記載の放射線機器用天板。
【請求項８】
前記下面板外面曲面形状部及び前記上面板曲面形状部は、前記天板の横幅方向中心線に対し左右対称の曲面形状を有することを特徴とする請求項６または７に記載の放射線機器用天板。
【請求項９】
前記上面板外面および前記下面板外面が、いずれも横幅方向全域にわたって曲面形状である請求項６〜８のいずれかに記載の放射線機器用天板。
【請求項１０】
前記上面板および前記下面板それぞれの端部同士が接合されてなることを特徴とする請求項１〜９のいずれかに記載の放射線機器用天板。
【請求項１１】
前記上面板及び前記下面板は、連続炭素繊維で強化された繊維強化樹脂成形品であることを特徴とする請求項１〜１０のいずれかに記載の放射線機器用天板。
【請求項１２】
前記天板の内部が中空構造であることを特徴とする請求項１〜１１のいずれかに記載の放射線機器用天板。
【請求項１３】
前記天板の内部に発泡体が挿入されている請求項１〜１１のいずれかに記載の放射線機器用天板。
【請求項１４】
請求項１〜１３のいずれかに記載の放射線機器用天板を用いたＸ線ＣＴ装置。
【発明の詳細な説明】
【技術分野】
【０００１】
本発明は、例えばＸ線ＣＴ装置やＸ線撮影装置などの医療用の放射線機器において、透視撮影する患者を移動するために用いる放射線機器用天板およびＸ線ＣＴ装置に関する。
【背景技術】
【０００２】
近年、Ｘ線ＣＴ（Ｃｏｍｐｕｔｅｄ  Ｔｏｍｏｇｒａｐｈｙ）装置やＸ線撮影装置など医療用放射線機器による患者の画像診断は、現代の医療分野では必要不可欠になっており、画像の高精度化や装置の高機能化、患者の放射線被爆量低減などが望まれている。これら要望を満足するため、患者が横たわる寝台である医療用放射線機器の天板においては、広範囲を一度に撮影するための長尺化と、患者位置精度を高めるための高剛性化・高強度化、優れた放射線透過性などが強く要求されている。
【０００３】
例えばＸ線ＣＴ装置の場合、装置は、天板を上下・水平方向に移動させる駆動部、断層画像の構成に必要なデータを収集する走査ガントリ（撮影部）、制御部、電源ユニットから構成されるが、患者は、天板が両持ち状態で最も低い位置にあるとき乗り降りし、横たわった状態で走査ガントリの開口部を身長方向に通過しＸ線撮影される。
【０００４】
従って、撮影時の天板は、駆動部から突き出た状態、つまり片持ち状態となり、天板には患者体重による曲げモーメントが作用することになる。そのため、体重の重い患者を載置して繰り返し使用するような場合でも撮影に支障をきたさないよう耐荷重性向上の要求が強い。このように、天板に要求される特性を満足するには、患者身長方向の曲げ剛性、曲げ強度を高めた天板設計が重要である。
【０００５】
昨今、医療用放射線機器の天板は、プラスチック発泡体などをコア材とし、コア外側のスキン層に繊維強化樹脂（以下ＦＲＰ（Ｆｉｂｅｒ  Ｒｅｉｎｆｏｒｃｅ  Ｐｌａｓｔｉｃ）と称することがある）を用いたサンドイッチ構造体で構成されている。特にスキン層は、比強度・比弾性率が高く、放射線透過性にも優れている炭素繊維を強化繊維とした炭素繊維強化樹脂（以下ＣＦＲＰ（Ｃａｒｂｏｎ  Ｆｉｂｅｒ  Ｒｅｉｎｆｏｒｃｅ  Ｐｌａｓｔｉｃ）と称することがある）を用いている場合が多い。
【０００６】
かかる構成の天板において、曲げ剛性、曲げ強度を高めるため、使用材料の検討だけでなく、天板厚みの増大やＣＦＲＰスキン層厚みの増大など天板形状の検討も行われている。
【０００７】
特許文献１（実開平５−６２２０８号公報）においては、天板曲げ剛性、曲げ強度を低下させることなく、天板またはスキン層厚みを低減する手段の一つとして、患者を移動させる時、すなわち片持ち状態で天板に曲げモーメントが作用する時に、天板が凸側（引張側）となる上面側スキンを高い引張強度、引張弾性率を発現できる炭素繊維によるＣＦＲＰで構成し、凹側（圧縮側）となる下面側スキンを高い圧縮強度、圧縮弾性率を発現できる炭素繊維によるＣＦＲＰで構成することが開示されている。
【０００８】
また、特許文献２（特開２００５−４６１８２号公報）においては、コアの外周がスキンで包囲された放射線診断装置用天板であり、前記スキンは、上面スキンと、二つの側面スキンと、下面スキンとで構成されており、側面スキンの厚みをｔＳ、下面スキンの厚みをｔＬとするとき、側面スキンの厚みｔＳが、ｔＳ＜ｔＬの関係にある構成が記載され、この構成とすることにより、側面スキンと下面スキンの境界部でロールを強く押し付ける力、すなわちロールから受ける反力を小さくすることが可能となる。その結果、天板下面の幅方向にはロールから均一な反力が作用することになり、使用中に損傷を受けることのない高強度な天板を提供することができる効果が開示されている。
【０００９】
また、特許文献３（特開２０１２−１９２１２２号公報）においては、コアの外周を少なくとも２つの側面スキンと下面スキンとで被着させ、少なくとも一方の前記側面スキンの外側にフレームが取り付けられた医療機器用天板において、該側面スキンの少なくとも一部に、側面スキン４０ａ、４０ｂの厚みｔＳ（ｍｍ）と、下面スキン３０の厚みｔＬ（ｍｍ）とがｔＳ＞ｔＬの関係にある補強部を有する構成が記載され、補強部を少なくとも一方の側面スキンに設けることによって、曲げモーメントが作用した時にフレームの取り付け部界面に集中する応力を効果的に低減することが出来、天板の強度を向上させる効果が得られることが開示されている。
【００１０】
また、特許文献４（特開２００７−２０９８６号公報）においては、医療用放射線機器による患者の画像診断において、画像の高精度化や装置の高機能化、患者の放射線被爆量低減を図るための天板であって、該上面板と該下面板の弾性率が一定の関係が成り立つ医療用放射線機器天板が記載され、画像の高精度化や装置の高機能化、患者の放射線被爆量低減を図れる効果が開示されている。
【００１１】
一般に放射線機器用の天板の通常の使用状態は、一端が放射線診断装置本体または本体に取り付けられた可動部に固定され、他端が自由端の片持ち状態であり、前記固定部と天板他端との間を本体側に取り付けられたロールで支持することが多い。
【００１２】
しかし、上記した特許文献の構成では、天板の強度を、天板または面板の厚みを厚くすることなく、向上させるための発明であるが、同一の厚みの面板の組み合わせ、または、特許文献２または特許文献３のように側面スキンと下面スキンの厚みが異なる面板の組み合わせで構成され、側面スキンや下面スキンの各面板における面板の厚みはいずれも一様であった。このような構成の天板の構成の場合、放射線機器から天板への放射線入射角度によっては、放射線の吸収が強く、放射線透過性が低くなり、画像品質が低下するという問題があった。
【先行技術文献】
【特許文献】
【００１３】
【特許文献１】実開平５−６２２０８号公報
【特許文献２】特開２００５−４６１８２号公報
【特許文献３】特開２０１２−１９２１２２号公報
【特許文献４】特開２００７−２０９８６号公報
【発明の概要】
【発明が解決しようとする課題】
【００１４】
従来の天板の構成における、放射線機器から天板への放射線入射角度によっては、放射線透過性が変動するという課題、特に、放射線機器から天板への浅い放射線入射角度の場合に放射線透過性が低くなる場合があるという課題に対し、本発明は、天板の強度を保持させながら、放射線入射角度が変わっても、放射線の吸収性や放射線透過性の変動が少ない放射線機器用天板を提案することを目的とする。
【課題を解決するための手段】
【００１５】
上記課題を解決するために本発明は以下の手段を採用するものである。すなわち、
（１）少なくとも、被検者を載せる上面板と、前記上面板と間隔をもって対向配置した下面板とから構成される放射線機器用天板であって、前記天板の長手方向に対する垂直断面において、前記上面板および／または前記下面板の横幅方向の少なくとも一部に板厚の異なる部位を有することを特徴とする放射線機器用天板。
（２）前記天板の横幅方向中央部より端部の板厚が薄いことを特徴とする（１）に記載の放射線機器用天板。
（３）前記板厚の最大厚さと最小厚さとの比が１．２〜５倍であることを特徴とする（１）または（２）に記載の放射線機器用天板。
（４）前記天板の横幅Ｌ（ｍｍ）に対し、前記天板の横幅方向中心線を挟んだ左右０．０５＊Ｌ（ｍｍ）の範囲における最大厚さと、前記天板端部から０．１＊Ｌ（ｍｍ）の範囲における最小厚さとの比が１．２〜５倍であることを特徴とする（３）に記載の放射線機器用天板。
（５）前記天板の長手方向に対する垂直断面における前記上面板および／または前記下面板の少なくとも一部が、前記天板の横幅方向に沿った曲面形状であることを特徴とする（１）〜（４）のいずれかに記載の放射線機器用天板。
（６）前記下面板の被検者載置面側と反対側に位置する下面板外面に設けられた下面板外面曲面形状部の曲率半径Ｓｂが２００〜１０００ｍｍであることを特徴とする（５）に記載の放射線機器用天板。
（７）前記上面板の被検者載置面側に位置する上面板外面に設けられた上面板外面曲面形状部の曲率半径Ｓａが３００〜２０００ｍｍであり、Ｓａ／Ｓｂが１．１〜１０であることを特徴とする（６）に記載の放射線機器用天板。
（８）前記下面板外面曲面形状部及び前記上面板曲面形状部は、前記天板の横幅方向中心線に対し左右対称の曲面形状を有することを特徴とする（６）または（７）に記載の放射線機器用天板。
（９）前記上面板外面および前記下面板外面が、いずれも横幅方向全域にわたって曲面形状である（６）〜（８）のいずれかに記載の放射線機器用天板。
（１０）前記上面板および前記下面板それぞれの端部同士が接合されてなることを特徴とする（１）〜（９）のいずれかに記載の放射線機器用天板。
（１１）前記上面板及び前記下面板は、連続炭素繊維で強化された繊維強化樹脂成形品であることを特徴とする（１）〜（１０）のいずれかに記載の放射線機器用天板。
（１２）前記天板の内部が中空構造であることを特徴とする（１）〜（１１）のいずれかに記載の放射線機器用天板。
（１３）前記天板の内部に発泡体が挿入されている（１）〜（１１）のいずれかに記載の放射線機器用天板。
（１４）（１）〜（１３）のいずれかに記載の放射線機器用天板を用いたＸ線ＣＴ装置。
【発明の効果】
【００１６】
本発明によれば、天板の強度を保持させながら、放射線機器用天板への放射線入射角度が異なっても放射線透過性の変動を抑制できる放射線機器用天板を提供することができる。それにより高精度な画像による診断や、被検者の放射線被爆量が少ない安全な診断などを行うことができる。
【図面の簡単な説明】
【００１７】
【図１】本発明に係る天板に被検者が載せられた放射線機器の概略図である。
【図２】本発明に係る天板の長手方向に対する垂直断面図である。
【図３】天板の横幅方向中心線を挟んだ左右０．０５＊Ｌ（ｍｍ）の範囲と、天板端部から０．１＊Ｌ（ｍｍ）の範囲を示す断面図である。
【図４】曲面形状部の接線と垂直な方向に測定した板厚と曲率半径を示す断面図である。
【図５】面板の外面の一部が曲率の異なる複数の部位を有する天板の断面図である。
【図６】面板の外面の一部が曲面形状で、他の一部が平面形状となっている天板の断面図である。
【図７】本発明の天板、放射線照射器及び線量計の配置を示す断面図である。
【図８】従来の天板の断面図である。
【発明を実施するための形態】
【００１８】
以下、実施の形態について図面を用いて説明する。なお、本発明は図や実施例に何ら限定されるものではい。
【００１９】
本発明に係る放射線機器用天板は、少なくとも、被検者を載せる上面板１１と、上面板１１と間隔をもって対向配置した下面板１２とから構成される放射線機器用天板１であって、天板１の長手方向に対する垂直断面において、上面板１１および／または下面板１２の横幅方向の少なくとも一部に板厚の異なる部位を有する構成である。
【００２０】
医療用放射線機器は、図１に示すように、医療用放射線機器用天板１（以下天板と略す）は、横臥状態の被検者３を載せ、被検者３の身長方向に片持ち状態で往復移動させて使用するものである。天板１は、医療用放射線機器の駆動部５の移動部材４にボルト等により端部を固定した片持ち状態で、上面板側に横臥状態の被検者３を載せ、被検者身長方向（図１中Ｘ軸方向）に往復移動させて使用する。このため天板１には、鉛直方向（図１中Ｚ軸方向）下向きの曲げモーメントが作用するが、鉛直Ｚ軸方向の天板たわみを小さくすると共に、身長方向の往復移動を安定させるため、天板１の下面板側は支持部材２により支持されている。ここで、横臥状態とは、狭義の横臥のみではなく、仰臥、伏臥等も含む横わっている状態全般を指す。
【００２１】
ここで、従来の天板は、図８の概略断面構造で示すように、コア３６と、このコア３６を包囲するように設けたスキンとで構成されたものである。また、スキンは、上面板３４と、２つの側面板３７と、下面板３５とで構成され、上面板３４はその上に患者を載置させるための面であり、他の３面は平板状となっており、これらの面板で天板１の断面形状が概ね台形形状となっている。そして、上面板３４、下面板３５及び側面板３７ともに、同一の面板内で板厚に変化がない同じ板厚で構成されている。放射線は上面板３４に載せられた被検者の身長方向と垂直な方向に照射される。放射線が下面板３５から上面板３４への垂直方向（矢印３８の方向）に照射される場合、上面板３４及び下面板３５の厚さに相当する分だけ吸収され放射線透過性が減少する。
【００２２】
次に、放射線が水平に近い方向（矢印３９の方向）から照射される場合、上面板３４及び側面板３７を斜めに横切る方向に放射線が進行するため、上下の垂直方向から照射される場合と比べると、面板中の通過長が長くなるため、放射線吸収量が多くなり、放射線透過性がより低下するという課題が生じる。
【００２３】
これに対し、本発明に係る天板１は、図２の概略断面構造で示すように、コア１３と、このコア１３を包囲するように設けたスキンとで構成され、スキンはその上に被検者を載置させる上面板１１と下面板１２とから構成される。そして、上面板１１と下面板１２は横幅方向における面板内で板厚の異なる部位を設けた構成となっている。これにより、天板１の強度を保持させながら、放射線機器から天板への放射線入射角度、特に、放射線機器から天板への浅い放射線入射角度の場合であっても、放射線の吸収を抑え、放射線透過性の変動を抑制することができる。
【００２４】
また、天板１の横幅方向中央部より端部の板厚を薄くすることが好ましい。
【００２５】
図２において、上面板１１及び下面板１２の端部領域１６の板厚が中央部領域１７の板厚よりも薄い形状を示しているが、上面板１１又は下面板１２のいずれか一方の端部領域１６の板厚が中央部領域１７の板厚よりも薄い形状であっても構わない。
【００２６】
本発明に係る天板１の構成では、放射線１５が水平に近い方向に照射される箇所の上面板１１と下面板１２の端部領域１６の板厚は、垂直方向に放射線１４が照射される箇所の上面板１１及び下面板１２の中央部領域１７よりも薄くなっている。そのため、放射線１５が水平に近い方向に照射される場合でも、垂直方向に放射線１４が照射される場合と比べて、面板中の放射線の通過長が長くなることがなく、放射線透過性が低下することを抑止できる効果が得られる。
【００２７】
この構成により、垂直方向に照射される放射線１４と水平に近い方向から照射される放射線１５の透過性に差が生じにくく、放射線の照射される角度が変わっても放射線の透過性の変動を抑制することができる。
【００２８】
また、面板の板厚の最大厚さと最小厚さとの比が１．２〜５倍であることが好ましい。
【００２９】
最大厚さと最小厚さを規定することにより、天板１の強度を保持させながら、放射線機器から天板１への放射線入射角度が変わっても放射線透過性の変動を抑えることができる。
【００３０】
１．２倍未満であると、放射線が水平に近い方向（矢印１５）から照射される際の面板中の通過長が、放射線が下面板１２から上面板１１への垂直方向（矢印１４）に照射される場合と比べて長くなり、放射線透過性が低下することを抑制できにくくなる場合がある。５倍を超えると、最大厚さの部位と最小厚さの部位との剛性差が大きくなり、最少厚さの部位に応力集中が発生することにより、天板の強度が低下する場合がある。より好ましくは、１．７〜４．５倍、さらに好ましくは、２〜４倍である。
【００３１】
また、天板１の横幅Ｌ（ｍｍ）に対し、天板１の横幅方向中心線を挟んだ左右０．０５＊Ｌ（ｍｍ）の範囲における最大厚さと、天板端部から０．１＊Ｌ（ｍｍ）の範囲における最小厚さとの比が１．２〜５倍であることが好ましい。
【００３２】
図３に示したように、最大厚さを有する部位を上面板１１又は下面板１２の中心部付近に設け、最小厚さを有する部位を端部に設けることにより、水平に近い方向から照射される放射線の天板１への吸収を抑制し、放射線透過性を保持することができる。
【００３３】
天板１の断面形状における横幅Ｌ（ｍｍ）は、放射線機器の種別にもよるが、人間一人を載置するための長さとして、４００〜６００ｍｍが好ましい。また、天板１の断面形状における上面板１１又は下面板１２の板厚の最大厚さは、Ｘ線透過性の観点から、２〜６ｍｍ、最小厚さは０．６〜５ｍｍであることが好ましい。ここで、板厚２１の測定方法は、図４に示すように、断面形状の曲面形状部においては、その曲面形状部の接線２２と垂直な方向にその接線間で測定した値である。
【００３４】
また、天板１の長手方向に対する垂直断面における上面板１１および／または下面板１２の少なくとも一部が、天板１の横幅方向に沿った曲面形状であることが好ましい。
【００３５】
図２に示すように、上面板１１および／または下面板１２の少なくとも一部が曲面形状を有することにより、放射線入射角度による放射線透過性の変動を抑えることができるとともに、アーチ形状効果による強度向上の効果も得られる。また、上面板１１が凹形状の曲面状により、その上に被検者を載置させやすくなり、被検者の揺れ等による撮像ブレを防止することができる。
【００３６】
また、下面板１２の被検者載置面側と反対側に位置する下面板外面２３に設けられた下面板外面曲面形状部の曲率半径Ｓｂが２００〜１０００ｍｍであることが好ましい。
【００３７】
図４に示すように、下面板外面２３の一部に有する曲率半径を一定範囲とすることにより、天板１の厚さが大きくなることがなく、放射線入射角度による放射線透過性の変動を抑えることができる。
【００３８】
曲率半径Ｓｂが２００ｍｍ未満であると、曲率が大きくなり、天板自体の厚さが増大し、重量増加に繋がる場合がある。また、曲率半径Ｓｂが１０００ｍｍを超えると、放射線が水平に近い方向から入射する場合、面板内を通過する通過長が長くなってしまい、放射線入射角度による放射線透過性の変動が増大する場合がある。
【００３９】
また、上面板１１の被検者載置面側に位置する上面板外面２５に設けられた上面板外面曲面形状部の曲率半径Ｓａが３００〜２０００ｍｍであり、Ｓａ／Ｓｂが１．１〜１０であることが好ましい。
【００４０】
図４に示すように、下面板外面２３の曲率半径Ｓｂを、上面板外面２５の曲率半径Ｓａよりも大きくすることで、やや下方に膨らんだ曲面状となり、これにより天板自体の厚さが増加することなく、強度を保持でき、放射線入射角度による放射線透過性の変動を抑えることができる。
【００４１】
曲率半径Ｓａが３００ｍｍ未満であると、曲率が大きくなり、天板自体の厚さが減少し、強度が低下する場合がある。また、曲率半径Ｓａが２０００ｍｍを超えると、放射線が水平に近い方向から入射する場合、面板内を通過する通過長が長くなってしまい、放射線入射角度による放射線透過性の変動が増大する場合がある。
【００４２】
また、Ｓａ／Ｓｂが１．１未満であると、放射線が水平に近い方向から入射する場合、面板内を通過する通過長が長くなってしまい、放射線入射角度による放射線透過性の変動が増大する場合がある。Ｓａ／Ｓｂが１０を超えると、天板自体の厚さが増大し、ガントリ内の被検者載置領域が小さくなる場合がある。好ましくはＳａ／Ｓｂが１．２〜８、より好ましくはＳａ／Ｓｂが１．５〜３である。
【００４３】
また、下面板外面２３の曲面形状部及び上面板外面２５の曲面形状部は、天板１の横幅方向中心線に対し左右対称の曲面形状を有することが好ましい。
【００４４】
これにより、天板１の横幅方向のバランスを均一とでき、天板１の強度が向上でき、放射線を左右均一に入射させることができる。
【００４５】
また、上面板外面２５および前記下面板外面２３が、いずれも横幅方向全域にわたって曲面形状であることが好ましい。
【００４６】
これにより、天板１の曲げ強度が向上するとともに、放射線入射角度による放射線透過性の変動を抑えることができる。
【００４７】
また、好ましい変形例として、図５に示すように、上面板外面２５と下面板外面２３の一部で曲率が異なる曲面形状を有し、中心線２８に対し左右対称に曲率形状部２６を設け、曲率形状部２６の端部側に連続して曲率形状部２６よりも曲率半径の大きい曲率形状部２７を設けた構成とすることもできる。曲率半径の大きい曲率形状部２７を設けることにより、天板１の強度が向上できるとともに、水平方向に近い方向から入射する放射線の面板での吸収をより抑えることができる。
【００４８】
また、好ましい変形例として、図６に示すように、曲面形状部２６の端部側に連続して平面形状部２９を左右対象に設けた構成とすることも可能である。
【００４９】
また、上面板１１および下面板１２それぞれの端部同士が接合されてなることが好ましい。
【００５０】
図８に示すように、上面板３４と下面板３５とを２つの側面板３７で連結する従来の天板の構成では、側面部３７と下面部３５の連結部の応力集中を避けにくいが、図２に示すような本発明の構成では、上面板１１及び下面板１２それぞれの端部同士が接合される構成により、応力集中を避けやすい。
【００５１】
また、記上面板１１及び下面板１２は、連続炭素繊維で強化された繊維強化樹脂成形品であることが好ましい。
【００５２】
炭素繊維を強化繊維とした炭素繊維強化樹脂を使用することで比強度・比弾性率が高く、放射線透過性にも優れた天板を得ることができる。
【００５３】
繊維強化樹脂は、強化繊維とマトリクス樹脂を含んで構成されるが、強化繊維としては、炭素繊維（黒鉛繊維を含む）、アラミド繊維、高強度ポリエチレン繊維、ガラス繊維、ボロン繊維などの少なくとも１種類を用いることができる。なかでも、放射線透過性に優れている炭素繊維を用いることが好ましい。なお、これらの強化繊維は、平織、朱子織、綾織、すだれ織りなど織物や、ストランドなどの形態で用いることができる。
【００５４】
マトリクス樹脂としては、エポキシ樹脂、不飽和ポリエステル樹脂、ビニルエステル樹脂、フェノール樹脂、ポリイミド樹脂などの熱硬化性樹脂や、ＡＢＳ樹脂、ナイロン樹脂、ポリエーテルエーテルケトン樹脂、ポリオレフィン樹脂などの熱可塑性樹脂を用いることができる。なかでも、炭素繊維との接着性や成形性を考慮すると、エポキシ樹脂やビニルエステル樹脂を用いることが好ましい。
【００５５】
また、天板１の内部を中空構造とすることにより、天板１をより軽量化できるとともに、放射線の吸収量を低減することできる。
【００５６】
一方、天板１の内部に発泡体を挿入することにより、天板の強度を高めることもできる。
【００５７】
発泡体は、高剛性・高強度を満足する範囲内で可能な限り低密度であることが好ましく、発泡体の材質としては、ポリウレタンフォーム、ポリスチレンフォーム、ポリ塩化ビニルフォーム、アクリルフォーム、ポリメタクリルイミドフォーム、酢酸セルロースフォーム、エポキシフォーム、フェノールフォームなどの硬質プラスチックフォームを用いることが好ましい。
【００５８】
本発明に係る天板１は、繊維強化樹脂の成形で用いられている引抜成形、オートクレーブ成形、プレス成形、ハンドレイアップ成形、ＲＴＭ成形などの成形法を用いて製造することが可能である。例えば、コア１３を所定の形状に機械加工し、上面板１１及び下面板１２となる強化繊維プリプレグとコア１３を必要な積層構成で積層し、最後に、金型内で加熱・加圧しながらプリプレグ硬化させ成形して製造することができる。上述の成形時、上面板１１及び下面板１２を同時に、幅方向両端部を連結した状態で一体成形して得ることも可能である。
【００５９】
また、コア１３が不要である中空構造の場合は、先ず、パイプ状の面板を成形し、パイプ状の両端に別部品を取付けることで、天板１を製造することができる。
【００６０】
板厚を変えるには強化繊維プリプレグをコア１３に必要枚数巻きつける巻き数を、１２ｃ中央部付近では多くし、１２ｄ端部付近では少なくすることで、中央付近を厚くし、端部付近を薄くすることができる。
【実施例】
【００６１】
（実施例１）
図４に示すような、上面板１１、下面板１２及びコア１３とで構成される天板１を製作した。天板１の外径寸法は、長手方向の天板長は２６８０ｍｍ、横幅長（Ｌ）は４０６ｍｍとした。上面板外面２５の曲率半径（Ｓａ）は７００ｍｍで、上面板外面２５の横幅方向全域を曲面形状とした。また、下面板外面２３の曲率半径（Ｓｂ）は４５０ｍｍ、下面板の内面２４の曲率半径は７００ｍｍで、下面板外面２３の横幅方向全域を曲面形状とした。Ｓａ／Ｓｂは１．６であった。上面板１１の中心線を挟んだ幅方向Ｌ＊０．０５長の範囲の最大厚さは３．９ｍｍとした。下面板１２の中心線を挟んだ幅方向Ｌ＊０．０５長の範囲の最大厚さは３．９ｍｍとした。上面板１１の端部から０．１＊Ｌ（ｍｍ）の範囲の最小厚さは２．７ｍｍとした。下面板１２の端部から０．１＊Ｌ（ｍｍ）の範囲の最小厚さは２．７ｍｍとした。中心線を挟んだ幅方向Ｌ＊０．０５長の範囲の最大厚さは、端部から０．１＊Ｌ（ｍｍ）の範囲の最小厚さの１．４倍とした。
【００６２】
上面板１１および下面板１２は、複数のＣＦＲＰ層で構成し、強化繊維として炭素繊維の朱子織物を用い、マトリクス樹脂としてエポキシ樹脂を用いた。また、コア１３には、厚み１００ｍｍ、幅５００ｍｍ、長さ２８００ｍｍの硬質アクリルフォームを用いた。前記硬質アクリルフォームをＮＣ加工により所定の形状に削りだした。
【００６３】
天板１は、コア１３に炭素繊維の織物を巻きつけ、マトリクス樹脂を含浸させたものを真空バッグ後、加熱、加圧することにより成形した。天板は、上面板１１と下面板１２を直接連結した構成とした。繊維体積含有率Ｖｆは５０％であった。
【００６４】
図７に示すように、天板１を天板長手方向、幅方向の水平、中心位置出し調整後、固定し、Ｘ線発生器３３から１００ｋＶｐ、ＨＶＬ２．７のＸ線を照射した。このＸ線量を線量計３２で測定し、その値をＭ１とした。３０はＸ線が上下の垂直方向から照射される軌跡で、照射角度９０°の状態を示す。３１はＸ線が水平方向、すなわち照射角度０°に近い方向から照射される軌跡を示す。続いて、アルミ板を固定し、前記条件でＸ線量を測定した。アルミ板の厚みは、Ｘ線量がＭ２＜Ｍ１＜Ｍ３を満足するような、Ａ２、Ａ３の２水準とした。
【００６５】
アルミ当量とは、ある物質のＸ線の透過性が何ミリの厚さのアルミニウムの透過性に相当するかを示す指標で、値が小さいほどＸ線を透過しやすいことを示している。天板のアルミ当量Ａ１は、（数式１）の関係より算出した。
【００６６】
【数１】
2018051000.tif 000003
【００６７】
その結果、アルミ当量は、照射角度９０°で１．４ｍｍ、照射角度０°で４．９ｍｍであった。
【００６８】
（実施例２）
上面板外面２５の曲率半径（Ｓａ）は１５００ｍｍで、上面板外面２５の横幅方向全域を曲面形状とした。また、下面板外面２３の曲率半径（Ｓｂ）は３００ｍｍ、下面板の内面２４の曲率半径は１５００ｍｍで、下面板外面２３の横幅方向全域を曲面形状とした。Ｓａ／Ｓｂは５であった。上面板１１の中心線を挟んだ幅方向Ｌ＊０．０５長の範囲の最大厚さは２．０ｍｍとした。下面板１２の中心線を挟んだ幅方向Ｌ＊０．０５長の範囲の最大厚さは５．２ｍｍとした。上面板１１の端部から０．１＊Ｌ（ｍｍ）の範囲の最小厚さは１．８ｍｍとした。下面板１２の端部から０．１＊Ｌ（ｍｍ）の範囲の最小厚さは２．７ｍｍとした。中心線を挟んだ幅方向Ｌ＊０．０５長の範囲の最大厚さは、端部から０．１＊Ｌ（ｍｍ）の範囲の最小厚さの１．９倍とした。その他の構成、成形方法等は実施例１と同様とした。
【００６９】
その結果、アルミ当量は、照射角度９０°で１．５ｍｍ、照射角度０°で４．２ｍｍであった。
【００７０】
（比較例１）
上面板１１及び下面板１２それぞれの厚みは３．３ｍｍで、各面板における面板の厚みはいずれも一様とし、それぞれの面板やコアに用いる材料は実施例１と同様とし、実施例と同様の試験を行った。
【００７１】
その結果、アルミ当量は、照射角度９０°で１．４ｍｍ、照射角度０°で９．４ｍｍとなり、照射角度９０°におけるアルミ当量は実施例に対して大きく増加し、Ｘ線透過性が低下した。
【符号の説明】
【００７２】
１  天板
２  支持部材
３  被検者
４  移動部材
５  駆動部
１１  上面板
１２  下面板
１３  コア
１４  上下の垂直方向から照射される放射線の軌跡
１５  水平に近い方向から照射される放射線の軌跡
１６  面板の端部
１７  面板の中央部
１８  面板の横幅長Ｌ
１９  天板１の横幅方向中心線を挟んだ左右０．０５＊Ｌ（ｍｍ）の範囲
２０  天板端部から０．１＊Ｌ（ｍｍ）の範囲
２１  板厚
２２  曲面形状部の接線
２３  下面板の被検者載置面側と反対側に位置する下面板外面
２４  下面板の被検者載置面側に位置する下面板内面
２５  上面板の被検者載置面側に位置する上面板外面
２６  曲率形状部
２７  曲率形状部
２８  中心線
２９  平面形状部
３２  線量計
３３  Ｘ線発生器
３４  従来の天板の構造の上面板
３５  下面板
３６  コア
３７  側面板
３８、３９  放射線の照射方向
【図１】
2018051000.tif 000004
【図２】
2018051000.tif 000005
【図３】
2018051000.tif 000006
【図４】
2018051000.tif 000007
【図５】
2018051000.tif 000008
【図６】
2018051000.tif 000009
【図７】
2018051000.tif 000010
【図８】
2018051000.tif 000011